(57)【特許請求の範囲】
【請求項１】
原稿画像を読み取る走査手段を備え、読み取った画像の編集を行う画像編集装置であって、
原稿のうちの切貼り部分を検出する手段と、
検出された切貼り部分に対してその周縁を包含する一定幅の四角環状の枠領域を設定する手段と、
設定された枠領域に対して、特定の画像編集を行う手段と、
を有したことを特徴とする画像編集装置。
【請求項２】
前記特定の画像編集として、前記枠領域を塗りつぶす枠合成を行う請求項１記載の画像編集装置。
【請求項３】
原稿画像を読み取る走査手段を備え、読み取った画像の編集を行う画像編集装置であって、
原稿のうちの切貼り部分を検出する手段と、
検出された切貼り部分に対してその周縁を包含する一定幅の四角環状の枠領域を設定する手段と、
設定された枠領域における外周縁の内側の全領域に対して、特定の画像編集を行う手段と、
を有したことを特徴とする画像編集装置。
【請求項４】
前記特定の画像編集として、前記外周縁の内側の全領域の消去、又は前記外周縁の内側の全領域の塗りつぶしを行う請求項３記載の画像編集装置。
【発明の詳細な説明】
【０００１】
【発明の属する技術分野】
本発明は、原稿画像の光学走査を行い、読み取った画像に対して加工処理を加える画像編集装置に関する。
【０００２】
【従来の技術】
貼付けや切欠きのなされた切貼り原稿をイメージスキャナで読み取ると、原稿面の段差による照明むらが生じる。このため、読取り画像をそのままプリントアウトすると、切貼り部分の周縁に沿って影と呼称される画像ノイズが現れる。影はプリント画像の見栄えを損なう。
【０００３】
従来において、特開平６−３１１３０７号公報に、自動的に切貼り部分の影を消去する機能を有したディジタル複写機が開示されている。この複写機では、切貼り原稿に対して照明方向を変えて２回の走査が行われ、各回の画像データを比較することによって影が検出される。
【０００４】
また、任意サイズの枠線を合成する編集機能を有した複写機によって切貼り原稿を複写する場合には、ユーザーが切貼り部分の周縁と重なる枠線の合成を指定することにより、すなわち影を覆い隠す枠線を付加することにより、あたかも影が無いように見せかけることができる。
【０００５】
【発明が解決しようとする課題】
しかし、従来では、影が完全に消去されずに中途半端に残り、却って影が目立ってしまうことがあった。逆に、影が完全に消去されると、コピー結果を見ただけでは、原稿が切り貼りのなされたものか否かの判別がつかないので、機密書類などを切り貼りで改竄して複写しても、それが発覚しないという不都合な状況の起こるおそれがあった。
【０００６】
一方、編集機能で枠線を付加する場合には、マーカー指定、数値入力、スタイラスペンによる位置入力などによって枠線の位置及びサイズをユーザーが指定しなければならず、操作が面倒であった。加えて、枠線を指定した後に原稿台上で原稿の位置がずれてしまい、所望のプリント画像が得られないことがあった。
【０００７】
本発明は、ユーザーが切貼り部分の位置を指定しなくても、不特定形状の画像ノイズである影の目立たない画像再現を可能にすることを目的としている。他の目的は、原稿における切り貼りの範囲を明らかにして、切り貼りによる画像の改竄を防止することにある。
【０００８】
【課題を解決するための手段】
請求項１の発明の装置は、原稿画像を読み取る走査手段を備え、読み取った画像の編集を行う画像編集装置であって、原稿のうちの切貼り部分を検出する手段と、検出された切貼り部分に対してその周縁を包含する一定幅の四角環状の枠領域を設定する手段と、設定された枠領域に対して、特定の画像編集を行う手段と、を有している。切貼り部分とは、貼付け部分と切欠き部分との総称である。
【０００９】
請求項２の発明の装置においては、特定の画像編集として、枠領域を塗りつぶす枠合成が行われる。塗りつぶしには、ベタ塗り、網かけ、ハッチングが含まれる。
請求項３の発明の装置は、原稿のうちの切貼り部分を検出する手段と、検出された切貼り部分に対してその周縁を包含する一定幅の四角環状の枠領域を設定する手段と、設定された枠領域における外周縁の内側の全領域に対して特定の画像編集を行う手段と、を有している。
請求項４の発明の装置においては、特定の画像編集として、外周縁の内側の全領域の消去、又は外周縁の内側の全領域の塗りつぶしが行われる。
【００１０】
【発明の実施の形態】
図１は本発明に係るディジタル複写機１の全体構成図である。
ディジタル複写機１は、本発明の画像編集装置であるイメージリーダユニットＩＲ、電子写真式の画像形成機構であるページプリンタユニットＰＲ、及び付加装置である自動両面原稿送り装置（ＡＤＦＲ）５００から構成されている。図１には表れていないが、イメージリーダユニットＩＲの上面に操作パネルが配置されている。
【００１１】
イメージリーダユニットＩＲは、原稿ガラス１８上にうつ伏せに置かれた原稿の画像を読み取るライン順次方式の走査系１０、走査系１０からの光電変換信号を量子化して種々のデータ処理を行う画像処理回路２０、及び原稿に対応した画像データを記憶するメモリユニット３０を備えている。走査系１０は、２個のランプ１１ａ，１１ｂを組み付けたスキャナ１９、ミラー１３ａ，１３ｂ、集光レンズ１４、ミラー１５、ＣＣＤアレイからなる１次元のイメージセンサ１６、及びスキャナ１９を駆動するモータＭ２から構成されている。イメージセンサ１６によって主走査が行われ、スキャナ１９の等速移動によって副走査が行われる。スキャナ１９の移動端への到着は位置センサＳＥ１，ＳＥ２によって検出される。走査系１０によって読み取られた画像情報は、画像処理回路２０で各種の処理を受けた後にメモリユニット３０へ送られる。メモリユニット３０は、電子ソート、ページ合成などの付加機能を実現するために設けられており、最大１００ページ分の画像データを圧縮（符号化）して記憶することができる。
【００１２】
ページプリンタユニットＰＲは、印字処理部４０、半導体レーザ６２を光源とするプリントヘッド６０、感光体ドラム７１を潜像担持体とする現像・転写系７０Ａ、定着ローラ対８４及び排出ローラ８５などを有した定着・排出系７０Ｂ、及び各種のローラと搬送ベルト８３とを有した用紙搬送系７０Ｃから構成されている。印字処理部４０は、メモリユニット３０から転送された画像データに基づいてプリントヘッド６０を制御する。感光体ドラム７１の周囲には、回転方向の上流側から順に、帯電チャージャ７２、現像器７３、転写チャージャ７４、分離チャージャ７５、クリーナ７６が配置されている。ハウジング内の下部には、２つの用紙カセット８０ａ，８０ｂが設けられている。
【００１３】
ＡＤＦＲ５００は、原稿トレイ５１０上にセットされた原稿を原稿ガラス１８上に搬送し、読取り後の原稿を排出トレイ５１１上に排出する。両面コピーの場合、原稿は、表面の読取り終了後に左方向に一旦送られ、反転されて読取り位置に戻される。そして、裏面の読取り終了後に排出される。
【００１４】
図２はランプと走査ラインとの位置関係を示す図である。
図２（Ａ）のように、２個のランプ１１ａ，１１ｂは、主走査方向に延び、副走査方向に配列されている。各ランプ１１ａ，１１ｂは独立にオンオフ制御される。これらランプ１１ａ，１１ｂの中間位置に、真上からの光が有効な被写体光となるようにミラー１２が配置されている。つまり、図２（Ｂ）のように、ランプ１１ａ，１１ｂの中間位置が走査ライン位置であり、斜め下方から照明された走査ライン位置の濃淡が１ライン分の原稿画像として撮像される。なお、集光レンズ１４は５枚のレンズと絞り機構１６とから構成されている。
【００１５】
図３は操作パネル９０の構成を示す平面図である。
操作パネル９０には、対話形式の操作のための液晶タッチパネル９１、コピー枚数や倍率などの数値入力のためのテンキー９２、数値入力状態を初期化するためのクリアキー９３、全ての指定内容を初期化するためのパネルリセットキー９４、コピー動作の中止を指示するためのストップキー９５、コピー動作の開始を指示するためのスタートキー９６、及び割込みコピーを指示するための割込みキー９９が配置されている。液晶タッチパネル９１により、案内メッセージ、操作ボタン、設定状態、異常状態の発生などの各種の表示が行われる。ユーザーは表示された操作ボタンを押すように液晶タッチパネル９１に触れることにより、その操作ボタンに対応した動作モードを指定することができる。
【００１６】
図４はデータ処理系１００の構成図である。
データ処理系１００は、画像処理回路２０、メモリユニット３０、印字処理回路４０、及びこれらの各構成要素を制御する計３個のＣＰＵ１０２、１０３，１０４を有している。上述したとおりイメージセンサ１７で読み取られた原稿情報は、画像処理回路２０、メモリユニット３０、及び印字処理回路４０を順に経て半導体レーザ６２の制御に用いられる。画像処理回路２０は、イメージセンサ１７からの光電変換信号を例えば８ビットの画像データに変換するＡＤ変換部２１、照明の配光むらとＣＣＤ素子間の感度差を補うシェーディング補正部２２、濃度調整や画質改善のための処理などを行う画像処理部２３、及び本発明に係わるデータ処理を担う切貼り領域編集部２４から構成されている。
【００１７】
各ＣＰＵ１０２〜１０４は、マイクロコンピュータ、プログラムＲＯＭ、ワークエリアとしてのＲＡＭを含んでいる。なお、ディジタル複写機１は、ＣＰＵ１０２〜１０４の他に、操作パネル制御、走査制御、ＡＤＦ制御、及びタイミング調整のための４個のＣＰＵを備えている。
【００１８】
以上の構成のディジタル複写機１には、切貼り原稿に適した編集コピーモードが設けられている。以下、その編集コピーモードについて説明する。
図５、図６及び図７は編集の内容を示す図である。
【００１９】
本実施形態では、切貼り原稿に対して、枠線合成、イレース、塗りつぶしの３種の編集を択一的に行うことができる。図５〜図７において、原稿Ｑ１は、文字の印字された所定サイズの用紙に、グラフを印刷した別の用紙を貼り付けた切貼り原稿であって、２個の切貼り部分ｑ１，ｑ２を有している。
【００２０】
図５のように枠線合成モードにおいては、原稿画像に切貼り部分ｑ１，ｑ２の周縁の影を隠す黒の枠線ｆ１，ｆ２を付加したコピー（複製物）Ｒ１が形成される。枠線ｆ１，ｆ２は用紙の端縁と平行な辺からなる四角環状の線であるので、切貼り部分ｑ１，ｑ２の輪郭が傾いたり曲がっていたりしても、その不定形の輪郭が四角形に整形され、見栄えがよくなる。
【００２１】
図６のようにイレースモードにおいては、切貼り部分ｑ１，ｑ２の周縁をそれぞれ囲む範囲の画像を消去（白の塗りつぶし）したコピーＲ２が形成される。図７のように塗りつぶしモードにおいては、切貼り部分ｑ１，ｑ２の周縁をそれぞれ囲む範囲を塗りつぶしたコピーＲ３が形成される。塗りつぶしパターンには、黒ベタ、斜線、網点がある。また、塗りつぶしの形態としては、対象領域内の原稿画像を塗りつぶしパターンに置き換える“上書き”と、原稿画像に塗りつぶしパターンを合成する“重ね書き”とがある（図７の例は重ね書きである）。
【００２２】
図８は編集モードの指定操作の手順を示す図である。
液晶タッチパネル９１には、４つの大項目（基本、原稿／コピー、編集、仕上げ）のそれぞれに対応した画面が択一的に表示される。ユーザーはタグＴＰ１〜４のいずれかにタッチすることによって大項目の切換えを指示する。“編集”に対応したタグＴＰ３にタッチすると、図８（Ａ）のように編集モードの３つの選択肢に対応したボタンＴＰ５，ＴＰ６，ＴＰ７が表示される。枠線合成モードを望むときはボタンＴＰ５を、イレースモードを望むときはボタンＴＰ６を、塗りつぶしモードを望むときはＴＰ７にタッチすればよい。ボタンＴＰ５にタッチすると、図８（Ｂ）のように、枠線の幅の設定に関するボタンＴＰ８，ＴＰ９が表示される。自動設定を望むときはボタンＴＰ８にタッチすればよい。自動設定では、後述のように切貼り部分ｑ１，ｑ２毎に影を完全に隠す最小の幅が算出される。マニュアル設定を望むときはボタンＴＰ８にタッチした後、メッセージに従って所望の幅の数値入力をする。マニュアル設定では、任意の幅を指定することができるものの、指定値によっては影が完全に隠れないおそれがあり、また複数の枠線ｆ１，ｆ２を付加する場合にそれらの幅が一律となる。ただし、切貼り部分ｑ１，ｑ２毎に幅を指定できるようにすることは可能である。
【００２３】
本実施形態のディジタル複写機１は、編集の対象領域を特定するために、公知の特開平６−３１１３０７号と同様に、２回の走査を行う。
図９は原稿走査の模式図である。
【００２４】
ここでの原稿Ｑは、原稿サイズを特定する用紙Ｑａと、それより小さい略矩形の貼付け用紙Ｑｂとからなる。１回目の走査においては、図９のように一方のランプ１１ａのみを点灯する。これにより、貼付け用紙Ｑｂの厚み分の段差があることから、副走査方向における貼付け用紙Ｑｂの一端側に影６が生じる。図示は省略したが、２回目の走査においては他方のランプ１１ｂのみを点灯する。このときは貼付け用紙Ｑｂの他端側に影６が生じる。こうして得られた２個の読取り画像の差分を求めることにより、切貼り部分（貼付け用紙Ｑｂ）に対応する一対の影６のみを抽出することができる。そして、一対の影６の位置から切貼り部分の位置及びサイズを特定することができる。各回の走査方向は同一でもよいが、所要時間の上で往復形式とするのが好ましい。往復形式の場合、メモリから１回目の走査時のデータを読み出して差分を求める際に、読出し順序を書込み順序と逆にすれば、各回の読取り画像の向きを揃えることができる。
【００２５】
なお、両方のランプ１１ａ，１１ｂを点灯して往復走査を行い、往動時と復動時の読取り画像の差分演算によっても切貼り部分を検出することができる。その場合は、影と明部との輝度差を大きくするために絞り機構１６によって入射光量を制限するのが望ましい。
【００２６】
図１０は図４の切貼り領域編集部２４のブロック図である。
画像処理部２３からの画像データはセレクタ２４１に入力される。通常コピーモードの場合、セレクタ２４１は画像データを出力側のセレクタ２４７へ送る。このとき、セレクタ２４７はセレクタ２４１からの画像データをメモリユニット３０へ送る。つまり、通常コピーモードでは、切貼り領域編集部２４がデータスルー状態となる。各セレクタ２４１，２４７にはＣＰＵ１０２から切換え指示が与えられる。
【００２７】
一方、編集コピーモードの場合は、セレクタ２４１から影検出回路２４２へ画像データが送られる。影検出回路２４２によって切貼り部分の検出が行われる。第１の画像メモリ２４３は、走査で得られたままの状態で影検出回路２４２から転送されてきた画像データ（最大６４００ライン分）を一時的に記憶する。第２の画像メモリ２４４には、まず、影検出回路２４２によって得られた影のみからなる画像が格納され、その後に編集パターン設定回路２４５によって生成されたパターン画像が格納される。合成回路２４６は、第１の画像メモリ２４３からの画像と第２の画像メモリ２４４からの画像とを合成してセレクタ２４７へ送る。合成に際して画像データの論理積を求めれば上書きとなり、論理和を求めれば重ね書きとなる。
【００２８】
影検出回路２４２は、入出力コントローラ４２１、引算器４２２、比較器４２３、及びデータセレクタ４２４から構成されている。
１回目の走査において、セレクタ２４１から入力される画像データは、画像メモリ２４３へ逐次に格納される。２回目の走査において、画像データは引算器４２２に入力される。これと同時に、引算器４２２には、画像メモリ２４３から読み出された１回目の走査時の画像データが入力される。引算器４２２によって、画素単位で原稿上の同一位置のデータどうしの引き算（差分演算）が行われる。比較器４２３は、引き算の結果がＣＰＵ１０２からの閾値Ｓｔｈより大きいときに、それを示す信号Ｓ４２３を切換え制御信号としてセレクタ４２４に出力する。セレクタ４２４は、信号Ｓ４２３がアクティブのときには、ＣＰＵ１０２からの白データＤｗを入出力コントローラ４２１に送る。これにより、閾値Ｓｔｈ以上の濃度の影が消去されることになる。このとき、影に対応した画素の位置が記憶される。実際には、読取り範囲の各画素毎に、影であるか否かを示すデータが記憶される。信号Ｓ４２３がノンアクティブのときには、セレクタ４２４は、２回目の走査時の画像データをそのまま入出力コントローラ４２１に送る。入出力コントローラ４２１は、セレクタ４２４からの画像データを第１の画像メモリ２４３に書き込む。
【００２９】
図１１は編集の範囲設定の要領を説明するための図、図１２は編集のための制御データテーブルのデータ構成を示す図である。
ＣＰＵ１０２は、まず、影検出回路２４２によって検出された偶数個の影領域（影に対応した画素の集合）に対して、読取り画像の上側から順に管理番号ｋｉ（ｉ＝０，１，２，３…）を付与する。上側とは副走査方向の一端側である。次に、各影領域ｋ０〜ｋ３について、上下左右の４個の端点のＸＹ座標を求め、図１２（Ａ）に示される影領域別座標テーブルＤＴ１を作成する。Ｘ方向は主走査方向、Ｙ方向は副走査方向である。
【００３０】
続いて、影領域ｋ０〜ｋ３を上側から２個ずつの組に分け、各組に同じ切貼り部に対応した影領域対としての管理番号Ｋｉ（ｉ＝０，１…）を付与する。各影領域対Ｋ０，Ｋ１毎に、上側中心線と左側中心線との交点（左上中心）Ｍｉ０、及び下側中心線と右側中心線との交点（右下中心）Ｍｉ１を求め、図１２（Ｂ）に示される基準位置テーブルＤＴ２を作成する。上側中心は上側の影領域における上下端間の中央位置であり、下側中心は下側の影領域における上下端間の中央位置である。左側中心は一対の影領域の左端どうしの中央位置であり、右側中心は一対の影領域の右端どうしの中央位置である。
【００３１】
図１３は枠領域Ｅ１と枠線幅ｗｉとの関係を示す図、図１４は枠線幅の自動設定が行われたときの影領域ｋ０〜ｋ３と枠線ｆ１，ｆ２との包含関係を示す図である。
【００３２】
左上中心Ｍｉ０と右下中心Ｍｉ１とを通る四角形状の枠が中心線とする一定幅の環状の領域Ｅ１が、枠線合成モードにおいて黒く塗りつぶされる枠領域である。枠領域Ｅ１の幅ｗｉは、自動設定の場合には一対の影領域のそれぞれの上下幅（画素数）のうちの大きい方とされ、マニュアル設定の場合にはユーザーが指定した長さを画素数に換算した値とされる。イレースモード又は塗りつぶしモードにおいては、枠領域Ｅ１の外周縁の内側の全領域、すなわち枠領域Ｅ１とそれに囲まれた領域Ｅ２とを合わせた領域Ｅが編集対象となる。
【００３３】
以下、フローチャートに基づいてディジタル複写機１の編集コピーモードの動作を説明する。
図１５及び図１６は編集コピー設定処理のフローチャートである。
【００３４】
このルーチンは、液晶タッチパネル９１においてタグＴＰ３がタッチされたときに、パネル制御用のＣＰＵによって実行される。
まず、図８（Ａ）の編集モード選択画面を表示する（＃１０）。ボタンＴＰ５のタッチによって枠線合成モードが指定されると、図８（Ｂ）の  枠線幅の設定画面に表示を切り換える（＃１２）。自動設定ボタンＴＰ８がタッチされると、ボタンの反転表示をした後に、自動設定を設定情報テーブルに登録する（＃１４、＃１８）。マニュアル設定ボタンＴＰ９がタッチされた場合は、ボタンの反転表示（＃１５）、数値入力の受け付け（＃１６）、入力値の表示（＃１７）を順に実行した後、入力値を設定情報テーブルに登録する（＃１８）。設定情報テーブルへのデータ登録の後、編集コピーモードをタイミング制御用のＣＰＵに通知する（＃１９）。
【００３５】
一方、編集モード選択画面において、イレースボタンＴＰ６がタッチされると、ボタンの反転表示を行い（＃２０）、ステップ＃１９へ進む。塗りつぶしボタンＴＰ７がタッチされると、ボタンの反転表示（＃２１）及び塗りつぶしパターンの設定処理（＃２２）を行い、ステップ＃１９へ進む。
【００３６】
図１７は編集コピーモードの走査処理のフローチャートである。
スキャナ１９の移動方向をフロント方向（Ｆ）に設定し、一方のランプ１１ａをオンして１回目の走査を開始する（＃１５０〜＃１５２）。スキャナ１９がフロント方向の移動端に達して位置センサＳＥ１がオンすると、スキャナ１９を停止させてランプ１１ａをオフする（＃１５３〜１５５）。続いて、スキャナ１９の移動方向をリア方向（Ｒ）に切り換え、他方のランプ１１ｂをオンして２回目の走査を開始する（＃１５６〜＃１５８）。スキャナ１９がリア方向の移動端に達して位置センサＳＥ２がオンすると、スキャナ１９を停止させてランプ１１ａをオフする（＃１５９〜１６１）。
【００３７】
図１８は画像処理回路２０の制御を担うＣＰＵ１０２が実行する編集処理のフローチャートである。
ＣＰＵ１０２は、画像メモリ２４４から影領域情報を含む画像データを読み込み（＃３１）、影領域ｆ０〜ｆ３の抽出と基準位置Ｍｉ０，Ｍｉ１の算出を行う（＃３２）。枠線合成モードの場合（＃３３）、設定情報テーブルから枠線幅の設定形式を読み込み（＃３４）、指定の形式に応じて枠線幅ｗｉを設定する（＃３６〜＃３８）。そして、編集画像のパターン作成処理を実行する（＃３９）。
【００３８】
図１９は図１８の枠線幅算出サブルーチンのフローチャートである。
影領域別座標テーブルＤＴ１のデータを読み込み（＃４１）、図１１で説明した要領で個々の影領域対Ｋｉに対して最適の枠線幅ｗｉを算出し（＃Ｓ３６）、その値を枠線幅テーブルＤＴ３に格納する（＃４１〜＃５０）。
【００３９】
図２０は図１８の合成イメージ作成サブルーチンのフローチャートである。
基準位置テーブルＤＴ２、枠線幅テーブルＤＴ３からデータを読み込み、枠領域Ｅ１の外周縁の左上端（Ａ点）、内周縁の左上端（Ｂ点）、内周縁の右下端（Ｃ点）、及び外周縁の右下端（Ｄ点）を算出する（＃５１〜＃５７）。そして、編集モードに応じて、対象領域に所定の処理を行う（＃５８〜＃６５）。その際、枠線合成モードの場合は、まず、Ａ点とＤ点とを頂点とする矩形範囲（正方形を含む）を黒く塗りつぶし、次にＢ点とＣ点とを頂点とする矩形範囲（正方形を含む）を白く塗りつぶす。これにより、設定した幅ｗｉの黒の枠線が得られる。
【００４０】
上述の実施形態において、スタートキー９６の押下毎に必ず影の検出を行い、枠線合成、イレース、又は塗りつぶしを行うように動作モードを固定化すれば、コピー画像において切貼り部分が明示されることになるので、紙幣や有価証券の偽造を含めた切り貼りによるドキュメントの改竄を防止することができる。貼付けのなされた切貼り原稿３を例示したが、原稿サイズを決める用紙（主用紙）Ｑａの一部を切り欠いた切貼り原稿にも本発明を適用することができる。切欠き部に対して枠線合成又は塗りつぶしを行えば、切り欠きの範囲が明らかになる。
【００４１】
枠線ｆ１，ｆ２を合成する代わりに、枠領域のイレースを行えば、影を完全に消去した見栄えの良いコピー画像が得られる。影を検出する手法としては、図２（Ｂ）のように副走査方向における走査ライン位置の両側にランプ１１ａ，１１ｂを設ける代わりに、１個のランプ１１ａの一方側及び他方側の位置で反射した照明光を１個のイメージセンサ１７に選択的に導く光学系を設け、一方又は他方の位置を走査ライン位置とする２回の走査を行う手法がある。各走査ライン位置毎に同一特性のイメージセンサを配備してもよい。つまり、必ずしも２個のランプ１１ａ，１１ｂが必要ではない。
【００４２】
【発明の効果】
請求項１乃至請求項４の発明によれば、ユーザーが切貼り部分の位置を指定しなくても、不特定形状の画像ノイズである影の目立たない画像再現を実現することができる。
【００４３】
請求項２又は請求項４の発明によれば、原稿における切り貼りの範囲を明らかとし、切り貼りによる画像の改竄を防止することができる。
【図面の簡単な説明】
【図１】本発明に係るディジタル複写機の全体構成図である。
【図２】ランプと走査ラインとの位置関係を示す図である。
【図３】操作パネルの構成を示す平面図である。
【図４】データ処理系の構成図である。
【図５】編集の内容を示す図である。
【図６】編集の内容を示す図である。
【図７】編集の内容を示す図である。
【図８】編集モードの指定操作の手順を示す図である。
【図９】原稿走査の模式図である。
【図１０】図４の切貼り領域編集部のブロック図である。
【図１１】編集の範囲設定の要領を説明するための図である。
【図１２】編集のための制御データテーブルのデータ構成を示す図である。
【図１３】枠領域と枠線幅との関係を示す図である。
【図１４】枠線幅の自動設定が行われたときの影領域と枠線との包含関係を示す図である。
【図１５】編集コピー設定処理のフローチャートである。
【図１６】編集コピー設定処理のフローチャートである。
【図１７】編集コピーモードの走査処理のフローチャートである。
【図１８】画像処理回路の制御を担うＣＰＵが実行する編集処理のフローチャートである。
【図１９】図１８の枠線幅算出サブルーチンのフローチャートである。
【図２０】図１８の合成イメージ作成サブルーチンのフローチャートである。
【符号の説明】
ＩＲ  イメージリーダユニット（画像編集装置）
１０  走査系（走査手段）
２４  切貼り領域編集部（特定の画像編集を行う手段）
１０２  ＣＰＵ
２４２  影検出回路（切貼り部分を検出する手段）
Ｅ１  枠領域
ｑ１，ｑ２  切貼り部分
【図１】
0003603551.tif 000002
【図２】
0003603551.tif 000003
【図３】
0003603551.tif 000004
【図４】
0003603551.tif 000005
【図５】
0003603551.tif 000006
【図６】
0003603551.tif 000007
【図７】
0003603551.tif 000008
【図８】
0003603551.tif 000009
【図９】
0003603551.tif 000010
【図１０】
0003603551.tif 000011
【図１１】
0003603551.tif 000012
【図１２】
0003603551.tif 000013
【図１３】
0003603551.tif 000014
【図１４】
0003603551.tif 000015
【図１５】
0003603551.tif 000016
【図１６】
0003603551.tif 000017
【図１７】
0003603551.tif 000018
【図１８】
0003603551.tif 000019
【図１９】
0003603551.tif 000020
【図２０】
0003603551.tif 000021